(57)【要約】【課題】ポケットコイルマットレスにおけるコイルの回収性およびポケットコイルマットレスの分解性および廃棄性を向上すること。【解決手段】袋体１の中にコイル２が挿置された複数のスプリングユニットを備えたポケットコイルマットレスにおいて、前記袋体１を、生分解性を備える不織布１０によって構成することにより、ポケットコイルマットレスの分解時にコンポスト内に放置することにより、前記袋体１を構成する不織布１０が分解し、コイルの回収を可能にするポケットコイルマットレス。【選択図】        図５
2005065735.tif 000002
【特許請求の範囲】
【請求項１】
袋体の中にコイルが挿置されているポケットコイルマットレスにおいて、
前記袋体を、生分解性を備える不織布によって構成した
ことを特徴とするポケットコイルマットレス。
【請求項２】
請求項１において、
前記袋体を構成する不織布が、自然環境下またはコンポスト内において放置されると炭酸ガスと水に分解される材料によって構成されている
ことを特徴とするポケットコイルマットレス。
【請求項３】
請求項１において、
前記袋体を構成する不織布が、原料が植物である天然素材を主原料とする材料によって構成されている
ことを特徴とするポケットコイルマットレス。
【請求項４】
請求項１において、
前記袋体を構成する不織布が、原料が植物である天然素材と熱溶融成形が可能な熱可塑性樹脂を主原料とする材料によって構成されている
ことを特徴とするポケットコイルマットレス。
【請求項５】
請求項１において、
前記袋体を構成する不織布が、ボリ乳酸を主原料とする材料によって構成されている
ことを特徴とするポケットコイルマットレス。
【請求項６】
請求項１において、
前記袋体を構成する不織布が、セルロース、デンプン＋ＰＶＡ、酢酸セルロース、ＰＶＡその他を主原料とする材料によって構成されている
ことを特徴とするポケットコイルマットレス。
【請求項７】
請求項２において、
前記袋体を構成する不織布が、温度、湿度およびｐＨにより加水分解により炭酸ガスと水に分解される材料によって構成されている
ことを特徴とするポケットコイルマットレス。
【請求項８】
請求項７において、
前記袋体を構成する不織布が、分解の進行に応じて微生物によって炭酸ガスと水への分解が加速される材料によって構成されている
ことを特徴とするポケットコイルマットレス。
【発明の詳細な説明】
【０００１】
【発明の属する技術分野】
本発明は、袋体の中にコイルが挿置されているポケットコイルマットレスに関するものであって、前記袋体を生分解性を備える不織布によって構成することにより、コイルスプリングの回収を容易にしてポケットコイルマットレスの分解性および廃棄性を向上するものである。
【０００２】
【従来の技術】
従来の第１のマットレスは、筒状布内にコイルスプリングを並列状態に納めるとともに、納められた各コイルスプリング間において筒状布の両側面部を止着し合わせて各コイルスプリングを保持させてなる複数のクッション構成体を、その側面をもって隣り合うクッション構成体と接着して構成されるクッション主体部を備えるとともに、クッション主体部の横向きの面部を覆う横向き外被材を備えるもので、クッション主体部の横向きの面部を覆う前記横向き外被材と前記クッション主体部との分離を容易にするものであった（例えば特許文献１参照）。
【０００３】
また従来の第２のマットレスは、袋体の隣接箇所を相互に接着させたポケットコイル全体を若干の伸縮性を備えた整形布で覆い、上下の詰め物を伸縮性の布で覆うとともに、周縁を縁取りして固定ベルトを配設し、ポケットコイルの全体を上下の固定ベルトで結んで挟着し、下鏡地と側地とを縫合してポケットコイルおよび詰め物を装填し、側地と上鏡地とをファスナーで接合するもので、廃棄時には、ファスナーを介してポケットコイルおよび詰め物を取り出し、釘抜き作業が一切ないので、解体作業を軽減するものであった（例えば特許文献２参照）。
【０００４】
【特許文献１】
特開２００１−６１６０４号公報（第２−６頁、第１図〜第７図）
【特許文献２】
特開２００１−１６１５０３号公報（第２−３頁、第１図〜第５図）
【０００５】
【発明が解決しようとする課題】
上記従来のマットレスは、ポケットコイルマットレスの廃却、リサイクルに関して、マットレスを構成している外被材とクッション部となるスプリングユニット（以下単にＳＰユニットと言う）との分離のし易さに言及したに過ぎないものであって、そのＳＰユニットを構成しているコイルと不織布（布）の分離に関しては、技術的に言及されていなかった。
【０００６】
すなわち従来の技術においては、
（１）大型粉砕機によって、前記ＳＰユニットを粉砕して、その後に金属と不織布を層別するか、
（２）前記ＳＰユニットのまま焼却することにより、不織布を焼却して、コイルを取り出すか、
（３）不織布を切り裂き、コイルをひとつ、ひとつ手作業で取り出し、金属と不織布に分離する
ものであった。
【０００７】
そこで、リサイクルを考えた場合、上述の（１）および（２）の手法においては、金属のリサイクルは可能であるが、不織布部分は焼却もしくは埋め立てしかできず、技術的、設備的にも問題があり、実用的ではないという問題があった。
【０００８】
現実的な手段として上述の（３）の手法が実施されているが、（３）の手法において発生する問題としては、コイルをひとつ、ひとつ手作業で取り出す行為は、コイルの個数が多い為にかなりの時間を要するとともに、かかる作業においては、人間の手作業によるものであり、肉体的にかかる負荷も大きいという問題があった。
【０００９】
しかも、現在市場において、ポケットコイルマットレスの普及は進んでおり、近い将来それらが廃却されることが予想され、現在のＳＰマットレスが抱える、廃却が困難であるという問題以上に、クローズアップされてくる問題と思われる。
【００１０】
そこで本発明者は、袋体の中にコイルが挿置されているポケットコイルマットレスにおいて、前記袋体を、生分解性を備える不織布によって構成することにより、ポケットコイルマットレスの分解時に放置することにより、前記袋体を構成する不織布が分解し、コイルの回収を可能にするという本発明の技術的思想に着眼し、更に研究開発を重ねた結果、ポケットコイルマットレスにおけるコイルの回収性およびポケットコイルマットレスの分解性および廃棄性を向上するという目的を達成する本発明に到達した。
【００１１】
【課題を解決するための手段】
本発明（請求項１に記載の第１発明）のポケットコイルマットレスは、
袋体の中にコイルが挿置されているポケットコイルマットレスにおいて、
前記袋体を、生分解性を備える不織布によって構成した
ものである。
【００１２】
本発明（請求項２に記載の第２発明）のポケットコイルマットレスは、
前記第１発明において、
前記袋体を構成する不織布が、自然環境下またはコンポスト内において放置されると炭酸ガスと水に分解される材料によって構成されている
ものである。
【００１３】
本発明（請求項３に記載の第３発明）のポケットコイルマットレスは、
前記第１発明において、
前記袋体を構成する不織布が、原料が植物である天然素材を主原料とする材料によって構成されている
ものである。
【００１４】
本発明（請求項４に記載の第４発明）のポケットコイルマットレスは、
前記第１発明において、
前記袋体を構成する不織布が、原料が植物である天然素材と熱溶融成形が可能な熱可塑性樹脂を主原料とする材料によって構成されている
ものである。
【００１５】
本発明（請求項５に記載の第５発明）のポケットコイルマットレスは、
前記第１発明において、
前記袋体を構成する不織布が、ボリ乳酸を主原料とする材料によって構成されている
ものである。
【００１６】
本発明（請求項６に記載の第６発明）のポケットコイルマットレスは、
前記第１発明において、
前記袋体を構成する不織布が、セルロース、デンプン＋ＰＶＡ、酢酸セルロース、ＰＶＡその他を主原料とする材料によって構成されている
ものである。
【００１７】
本発明（請求項７に記載の第７発明）のポケットコイルマットレスは、
前記第２発明において、
前記袋体を構成する不織布が、温度、湿度およびｐＨにより加水分解により炭酸ガスと水に分解される材料によって構成されている
ものである。
【００１８】
本発明（請求項８に記載の第８発明）のポケットコイルマットレスは、
前記第７発明において、
前記袋体を構成する不織布が、分解の進行に応じて微生物によって炭酸ガスと水への分解が加速される材料によって構成されている
ものである。
【００１９】
【発明の作用および効果】
上記構成より成る第１発明のポケットコイルマットレスは、袋体の中にコイルが挿置されているポケットコイルマットレスにおいて、前記袋体を、生分解性を備える不織布によって構成したので、ポケットコイルマットレスを放置しておくだけで、袋体を構成する不織布が化学的分解してコイル取り出しを、袋体を物理力を加えて破棄することなく、容易に行うことが出来る。従って、コイルの回収ひいてはリサイクルを容易に行え、ポケットコイルスプリングにおける分解性および廃棄性を向上させることが出来る。
【００２０】
上記構成より成る第２発明のポケットコイルマットレスは、前記第１発明において、前記袋体を構成する不織布が、自然環境下またはコンポスト内において放置されると炭酸ガスと水に分解される材料によって構成されているので、前記袋体を構成する不織布が炭酸ガスと水に分解し、コイルの回収を可能にするので、上記した第１発明の効果に加えて、コイルの回収を容易にして、ポケットコイルマットレスにおける分解性および廃棄性を向上するという効果を奏する。
【００２１】
上記構成より成る第３発明のポケットコイルマットレスは、前記第１発明において、前記袋体を構成する不織布が、原料が植物である天然素材を主原料とする材料によって構成されているので、前記袋体を構成する不織布の主原料である植物の天然素材が、分解するものであるので、上記した第１発明の効果に加えて、自然界の循環を可能にするという効果を奏する。
【００２２】
上記構成より成る第４発明のポケットコイルマットレスは、前記第１発明において、前記袋体を構成する不織布が、原料が植物である天然素材と熱溶融成形が可能な熱可塑性樹脂を主原料とする材料によって構成されているので、上記した第１発明の効果に加えて、自然界の循環を可能にするとともに、不織布の成形性を向上するという効果を奏する。
【００２３】
上記構成より成る第５発明のポケットコイルマットレスは、前記第１発明において、前記袋体を構成する不織布が、ボリ乳酸を主原料とする材料によって構成されているので、前記袋体を構成する不織布が効率良く炭酸ガスと水に分解され、コイルの回収を可能にするので、上記した第１発明の効果に加えて、コイルの回収を容易にして、ポケットコイルマットレスにおける分解性および廃棄性を向上するという効果を奏する。
【００２４】
上記構成より成る第６発明のポケットコイルマットレスは、前記第１発明において、前記袋体を構成する不織布が、セルロース、デンプン＋ＰＶＡ、酢酸セルロース、ＰＶＡその他を主原料とする材料によって構成されているので、前記袋体を構成する不織布が炭酸ガスと水に分解され、コイルの回収を可能にするので、上記した第１発明の効果に加えて、コイルの回収を容易にして、ポケットコイルマットレスにおける分解性および廃棄性を向上するという効果を奏する。
【００２５】
上記構成より成る第７発明のポケットコイルマットレスは、前記第２発明において、前記袋体を構成する不織布が、温度、湿度およびｐＨにより加水分解により炭酸ガスと水に分解される材料によって構成されているので、温度、湿度およびｐＨにより加水分解により炭酸ガスと水に分解されるため、上記した第２発明の効果に加えて、前記袋体を構成する不織布が効率良く炭酸ガスと水に分解されるという効果を奏する。
【００２６】
上記構成より成る第８発明のポケットコイルマットレスは、前記第７発明において、前記袋体を構成する不織布が、分解の進行に応じて微生物によって炭酸ガスと水への分解が加速される材料によって構成されているので、分解の進行に応じて微生物によって炭酸ガスと水への分解が加速されるため、上記した第７発明の効果に加えて、前記袋体を構成する不織布が一層効率良く炭酸ガスと水に分解されるという効果を奏する。
【００２７】
【発明の実施の形態】
以下本発明の実施の形態につき、図面を用いて説明する。
【００２８】
（第１実施形態）
本第１実施形態のポケットコイルマットレスは、図１ないし図６に示されるように袋体１の中にコイル２が挿置された複数のスプリングユニットを備えたポケットコイルマットレスにおいて、前記袋体１を、生分解性を備える不織布１０によって構成することにより、ポケットコイルマットレスの分解時にコンポスト内に放置することにより、前記袋体１を構成する不織布１０が分解し、コイルの回収を可能にするものである。
【００２９】
本第１実施形態における前記袋体１を構成する生分解性を備える不織布１０について、説明する。
【００３０】
前記袋体１を構成する不織布１０は、ボリ乳酸を主原料とする材料によって構成され、コンポスト内において放置されると炭酸ガスと水に分解される。
【００３１】
ここで乳酸とは、人体をはじめとする生体内に広く存在する天然の有機化合物として良く知られている。工業的には、トウモロコシ等から取り出したデンプンを原料に酵素分解して糖質とし、これを炭素源とする乳酸菌発酵により作られ、今日まで食品添加物として広く用いられてきた。
【００３２】
さらにポリ乳酸とは、化学合成法により乳酸を重合した脂肪族ポリエステル樹脂（融点：１７０℃、ガラス転移温度：５７℃）である。高結晶性の熱可塑性プラスチックなので、溶融押出しにより繊維やフィルム、その他射出成形や発泡成形によりさまざまな形状に成形することができる。
【００３３】
本第１実施形態における上述の不織布１０によって構成された袋体１の成形（製法）について、図１ないし図６を用いて説明する。
【００３４】
図１に示されるロールに巻かれた上述の不織布１０のロールから、図２に示されるように引き出した前記不織布１０を幅方向に半分に折り、図３に示されるように半折りされた前記不織布１０の間に圧縮したコイルスプリング２が介挿される。
【００３５】
図４に示されるように半折りされた前記不織布１０の介挿されたコイルスプリング２を包囲する繋がっていない残りの３辺の溶着箇所（３，４，５）を熱溶着によって部分的に溶着する。
【００３６】
半折りされた前記不織布１０のコイルスプリング２を包囲する３辺の溶着箇所（３，４，５）が熱溶着によって部分的に溶着され、袋体１が形成された後、介挿されたコイルスプリング２の向き（図４における紙面の厚さ方向）を直角（図４における略左右方向）に変えた後、図５に示されるように各前記コイルスプリング２の圧縮を解除して、３辺の溶着箇所（３，４，５）が熱溶着された各袋体１内一杯に伸ばして収容される。
【００３７】
上述の説明においては、説明の簡便のために図５においては３個の袋体を代表的に示して説明したが、本第１実施形態のポケットコイルマットレスは、図６に示されるようにかかる袋体が複数列並設され、ベッドを構成するＳＰユニットとしてのマットレス全体にぎっしり並設されているのである。
【００３８】
すなわち前記コイル２を包んで成形される代表的に３個のみを示す図５に示されるスプリングユニット（ＳＰユニット）１１を接着して、金属の枠線１３、及び該枠線１３とＳＰユニット１１との固定に使われる金属のＣリング１４にて成形される図６に示されるＳＰユニット１１のアッセンブリにおいて、これに使用する袋体１を構成する不織布として、ＰＶＡを原料とした水溶解性の不織布を使用する。
【００３９】
本第１実施形態のポケットコイルマットレスにおいては、物理的性状の異なる上面と下面を設定する場合と、同一の物理的性状の上面と下面を設定する場合とが有る。
【００４０】
上記構成より成る本第１実施形態のポケットコイルマットレスは、前記袋体１の中にコイル２が挿置された複数のスプリングユニット２０を備えたポケットコイルマットレスにおいて、前記袋体１を、生分解性を備える前記不織布１０によって構成することにより、ポケットコイルマットレスの分解時に前記コンポスト内に放置することにより、前記袋体１を構成する不織布１０が化学的に分解し、前記コイル２の取り出しを、袋体に物理力を加えて破棄することなく容易に行うことが出来る。従って、コイルの回収ひいてはリサイクルを容易に行え、ポケットコイルスプリングにおける分解性および廃棄性を向上するという効果を奏する。
【００４１】
また本第１実施形態のポケットコイルマットレスは、前記袋体１を構成する不織布１０が、ボリ乳酸を主原料とする材料によって構成されているので、前記袋体１を構成する不織布１０が効率良く炭酸ガスと水に分解され、コイル２の回収を可能にするので、コイル２の回収を容易にして、ポケットコイルマットレスにおける分解性および廃棄性を向上するという効果を奏するとともに、不織布の成形性を向上するという効果を奏する。
【００４２】
本第１実施形態においては、ポケットコイル２を成形する時に使用する不織布１０は、生分解性のある不織布を使用することにより、解体時においてはコンポスト内に放置するだけで、コイル、枠線、固定部材（金属）のみとなり、コ、ポスト内に残った残土は堆肥として使用できる。
【００４３】
【実施例】
以下本発明の実施例につき説明する。
【００４４】
（第１実施例）
本第１実施例のポケットコイルマットレスは、前記袋体１を構成する不織布１０であるボリ乳酸を主原料とする材料の具体例として、ユニチカ株式会社製の「テラマック」を用いるものである。
【００４５】
すなわち「テラマック」は、ポリ乳酸から生まれた、新しい生分解性素材である。ポリ乳酸とは、トウモロコシなどの再生可能な植物資源を原料に合成された天然由来のポリマーで、最終的には自然環境下でもとの炭酸ガスと水に分解され、炭酸ガスは再び植物の光合成の炭素源として再利用される素材である。つまり自然界が本来そなえているリサイクルシステムに組み込まれているものである。要するに原料は植物資源であり、最終的に炭酸ガスと水に還るのである。
【００４６】
原料が植物であるコットンや木材などの天然素材と「テラマック」が大きく違う点は、「テラマック」のカタチはひとつではないということである。熱可塑性プラスチックであるポリ乳酸を原料として、熱溶融成形が可能なため、フィルム・シートや繊維、スパンボンド、射出成形品など、さまざまなカタチを作ることができる。さまざまなカタチで、２１世紀型の現代生活を支えるものである。
【００４７】
「テラマック」は、自然界で分解されるという基本特性に加え、優れた透明性、熱接着性、安全性、抗菌・防カビ性、耐候性など、「テラマック」は、単なる生分解性素材ではなく、高いパフォーマンスとポテンシャルを有する次世代の新素材としての要件を備えている。多くの優れた特長が、生分解性素材のイメージを変えるものである。
【００４８】
上述の「テラマック」の環境分解特性について、最初に述べる。
生分解性は、コンポストまたは自然環境下において、最終的には炭酸ガスと水に完全に分解する。
【００４９】
生分解速度は、廃棄処理（再資源化）過程のコンポスト中では速く、使用過程の自然環境下ではゆっくりと分解する。
【００５０】
すなわち形状崩壊を起こすまでの所要時間であるが、硬質フィルム、繊維、スパンボンドは、コンポスト（６０℃以上）中では、５±３日、±中＆水中では、３±０．５年である。
【００５１】
軟質フィルムは、コンポスト（６０℃以上）中では、３±２日、±中＆水中では、１±０．５年である。
【００５２】
生分解機構は、まず温湿度やｐＨにより加水分解が起こり、ある程度分解が進行すると微生物により分解が加速され完全に分解する。
【００５３】
保存安定性は、通常の室温環境下ではほとんど分解せず安定している。高温多湿下、アルカリ条件下では分解が進行する。
耐候（光）性：太陽光（紫外線）により劣化しにくく、耐候性に優れる。
【００５４】
したがってこれまでのプラスチックと同様に使える。そして廃棄時の分解・消滅は、６０℃におけるコンポスト内の分解挙動を示す図７から明らかなようにスピーディーである。
【００５５】
すなわち、図７において、数平均分子量（Ｍｎ）は、ポリマーの加水分解の領域である放置開始時からの経過時間１５日の間においては、減少し、１０日前後において、脆化が開始し、１４日前後で完全に再片化する。
【００５６】
ＣＯ２  発生は、放置開始時から５日で開始され、それ以後増加する。乳酸と乳酸オリゴマーの生分解は１０日経過した時から開始され４５日まで持続する。
【００５７】
「テラマック」の基本特性について、以下に述べる。
生分解性は、ＪＩＳ  Ｋ６９５３（ＩＳＯ１４８５５）に従い、制御されたコンポスト条件の好気的かつ究極的な生分解及び崩壊度試験に合格している。
【００５８】
識別標示・認証基準としては、生分解性プラスチック研究会（ＢＰＳ）のグリーンプラ識別標示制度・認証基準に適合している。「ポジティブリスト掲載、グリーンプラ認証マーク取得）
【００５９】
食品衛生性は、食品衛生法「厚生省告示  第３７０号」規格基準に適合しており、米国ＦＤＡ／ＦＣＮ（Ｆｏｏｄ  Ｃｏｎｔａｃｔ  Ｎｏｒｔｉｆｉｃａｔｉｏｎ）Ｎｏ．１７８  認定されている。
【００６０】
抗菌・防カビ性は、繊維製品ＳＥＫマークの新基準をクリアしており、抗菌活性とカビが発生しにくい特性である。
【００６１】
低燃焼熱すなわち燃焼熱は、約４，５００ｋｃａｌ／ｋｇ（紙と同等）と低く、石油系プラスチックの１／２〜１／３で、焼却炉を傷めない。焼却時に有毒ガス（ダイオキシン、塩化水素、ＮＯｘ、ＳＯｘ）を発生しないのである。
【００６２】
上述の実施形態は、説明のために例示したもので、本発明としてはそれらに限定されるものでは無く、特許請求の範囲、発明の詳細な説明および図面の記載から当業者が認識することができる本発明の技術的思想に反しない限り、変更および付加が可能である。
【００６３】
上述の実施例においては、一例としてポリ乳酸を主原料とする「テラマック」によって不織布１０を構成する例について説明したが、本発明としてはそれらに限定されるものではなく、例えばセルロースが主原料の旭化成（株）の「キュプラスパンボンド不織布」のようなセルロースや、デンプン＋ＰＶＡ、酢酸セルロース、ＰＶＡその他のものも用いることができる。
【図面の簡単な説明】
【図１】本発明の第１実施形態における不織布のロールを示す斜視図である。
【図２】本第１実施形態における引き出された不織布を半折りにする工程を示す斜視図である。
【図３】本第１実施形態における半折りにされた不織布内にコイルを介挿する工程を示す斜視図である。
【図４】本第１実施形態におけるコイルが介挿された不織布を溶着する工程を示す斜視図である。
【図５】本第１実施形態における袋体内に介挿されたコイルの向きを変え、伸ばした状態を示す側面図である。
【図６】本第１実施形態における袋体内にコイルが介挿されたＳＰユニット１１のアッセンブリであるポケットコイルマットレスの一部を示す斜視図である。
【図７】本発明の実施例におけるコンポスト内の分解挙動を示す線図である。
【符号の説明】
１  袋体
２  コイル
１０  不織布
【図１】
2005065735.tif 000003
【図２】
2005065735.tif 000004
【図３】
2005065735.tif 000005
【図４】
2005065735.tif 000006
【図５】
2005065735.tif 000007
【図６】
2005065735.tif 000008
【図７】
2005065735.tif 000009